(57)【要約】  【課題】  焦電型赤外線センサー(人体センサー)により制御される照明器具における自己点滅誤動作を防止する。  【解決手段】  本体１の下面に蛍光ランプまたは白熱ランプなどのランプ２と焦電型赤外線センサー３を設けて半透光性のグローブ４(人体からの赤外線を通すポリエチレン製など)で覆い、前記センサー３により人体が検知された場合に前記ランプ２を点灯する照明器具において、電源投入直後の所定時間(例えば30秒間)に渡ってランプ２を強制的に全光点灯モードとし、この全光点灯モード終了後、ランプ２を比較的短時間に渡る調光点灯モードを経て消灯させる機能を備えた照明器具である。なお、前記所定時間としては最低限20秒程度あればよく、上限としては、点灯継続し過ぎてユーザーに不審感を持たれないように60秒程度とすればよい。【選択図】  図３
2005190916.tif 000002
【特許請求の範囲】
【請求項１】
本体の下面にランプと焦電型赤外線センサーを設けて半透光性のグローブで覆い、前記センサーにより人体が検知された場合に前記ランプを点灯する照明器具において、電源投入直後の所定時間に渡ってランプを強制的に全光点灯モードとし、この全光点灯モード終了後、ランプを比較的短時間に渡る調光点灯モードを経て消灯させる機能を備えた照明器具。
【請求項２】
請求項１において、全光点灯モードから調光点灯モードへの光出力変化比を40〜70％とし、かつ、調光点灯モードの時間を１〜５秒とした照明器具。
【請求項３】
請求項１または２において、ランプは環状の蛍光ランプであり、その略中央にセンサーを配置した照明器具。
【発明の詳細な説明】
【技術分野】
【０００１】
本発明は、焦電型赤外線センサー(人体センサー)により制御される照明器具に関する。
【背景技術】
【０００２】
本体の下面にランプと焦電型赤外線センサーを設けて前記センサーのみを露出する窓孔のある半透光性のグローブで覆い、前記センサーにより人体が検知された場合に前記ランプを点灯する照明器具はよく知られたところである。そして、焦電型赤外線センサーでは電源投入直後から約10〜20秒間程度は動作が不安定なため、そのセンサーからの出力状態を無視して、電源投入直後の所定時間に渡ってランプを強制的に全光点灯モードとしてユーザーに不審感を与えないようにするとともに、この時間を前記センサーのための安定化待機時間としている。そして、この全光点灯モード終了後は人体検知のない限り前記ランプを消灯させていた。ところで、特許文献１のように、本体の下面にランプと焦電型赤外線センサーを設けた上で前記のような窓孔のない半透光性のグローブで覆う照明器具も知られている。
【特許文献１】特開平１０−１０６３４０号公報
【発明の開示】
【発明が解決しようとする課題】
【０００３】
しかし、特許文献１のような照明器具において、電源投入直後の強制的全光点灯モードの終了後にランプが消灯すると、次のような問題が発生することが分かってきた。すなわち、人体が検知されていないにもかかわらず、一旦消灯したランプが再び点灯する問題である。この原因について究明して行くと、最近の照明器具は小型化または薄型化される傾向にあるにもかかわらず、ランプは逆に比較的高ワットのものが用いられるようになっており、ランプからわずかに放出される長波長域(人体からの赤外線と同様な10μｍ前後の長波長域)の赤外線が前記センサーに入射して検知されており、前記センサーは入射する赤外線量の変化に反応するタイプのため、ランプがいきなり消灯になると人体を検知したときと同様に検知信号を発生してしまい、ランプが点灯するということであった。このように、焦電型赤外線センサーをグローブ内に収めた照明器具においては、ランプからの赤外光がグローブ内面で反射して前記センサーに入射するため、このような問題(自己点滅誤動作)が発生しやすくなっているのが判明した。本発明はこのような解決すべき課題を鑑み、焦電型赤外線センサー(人体センサー)により制御される照明器具における自己点滅誤動作を防止することを目的とする。
【課題を解決するための手段】
【０００４】
本発明を要約すると、本体の下面にランプと焦電型赤外線センサーを設けて半透光性のグローブで覆い、前記センサーにより人体が検知された場合に前記ランプを点灯する照明器具において、電源投入直後の所定時間に渡ってランプを強制的に全光点灯モードとし、この全光点灯モード終了後、ランプを比較的短時間に渡る調光点灯モードを経て消灯させる機能を備えた照明器具である。
【発明の効果】
【０００５】
本発明によれば、電源投入直後の強制的な全光点灯モード終了後、ランプは調光点灯モードになるため、ランプからの光出力変化比が緩和されるため、焦電型赤外線センサーに入射する光変化比も小さくなり、前記センサーからは検知信号が出力されないため、従来のようにランプが再び全光点灯するような自己点滅誤動作が防止される。また、調光点灯モードから消灯になる際のランプの光出力変化比も少なくなり、やはり、自己点滅誤動作が防止される。
【発明を実施するための最良の形態】
【０００６】
次に、本発明の実施形態を説明するが、それはあくまで本発明に基づいて採択された例示的な実施形態であり、本発明をその実施形態に特有な事項に基づいて限定解釈してはならず、本発明の技術的範囲は、特許請求の範囲の請求項に示した事項さらにはその事項と実質的に等価である事項に基づいて定めなければならない。
【０００７】
図示の実施形態は、本体１の下面に蛍光ランプまたは白熱ランプなどのランプ２と焦電型赤外線センサー３を設けて半透光性のグローブ４(人体からの赤外線を通すポリエチレン製など)で覆い、前記センサー３により人体が検知された場合に前記ランプ２を点灯する照明器具において、電源投入直後の所定時間(例えば30秒間)に渡ってランプ２を強制的に全光点灯モードとし、この全光点灯モード終了後、ランプ２を比較的短時間に渡る調光点灯モードを経て消灯させる機能を備えた照明器具である。なお、前記所定時間としては最低限20秒程度あればよく、上限としては、点灯継続し過ぎてユーザーに不審感を持たれないように60秒程度とすればよい。
【０００８】
さらに詳述すれば、本実施形態ではランプ２は二重環型40Ｗのように高輝度タイプの環状蛍光ランプであり、その略中央にセンサー３を配置している。また、強制的な全光点灯モードから調光点灯モードへの光出力変化比を40〜70％とし、かつ、調光点灯モードの時間を１〜５秒としている。前記センサー３の検知信号はマイコン５に入力され、マイコン５は検知信号に応じてインバータ制御部６に点灯信号、調光切替信号を供給する。インバータ制御部６はインバータ７の半導体スイッチング素子８、８を交互に開閉するためのインバータ駆動信号を供給し、これにより直流電源９が高周波交流に変換されてコイル・コンデンサなどの限流素子１０を介してランプ２に供給される。
【０００９】
動作を説明すると、まず、電源が時刻t0にて投入されると、マイコン５は強制的に点灯信号(Ｌレベル)をインバータ制御部６に出力するのでインバータ制御部６はインバータ７を全出力動作させて、ランプ２は強制点灯する。このとき調光切替信号はＨレベルのため、ランプ２は全光点灯(定格点灯)する。この目的は前述したように、焦電型赤外線センサー３は電源投入直後から約10〜20秒間程度は動作が不安定なため、そのセンサー３からの出力状態(検知信号)を無視して、電源投入直後の所定時間に渡ってランプ２を強制的に全光点灯モードとするものであり、この時間を前記センサー３のための安定化待機時間としている。この時間が経過した後、本実施形態の特徴として、t1〜t2(１〜５秒間)においても点灯信号(Ｌレベル)を継続させるとともに、調光切替信号をＬレベルにしてランプ２を調光点灯モードとする。このように電源投入直後の強制的な全光点灯モード終了後、ランプ２は調光点灯モードになるため、ランプ２からの光出力変化比が緩和されるため、センサー３に入射する光変化比も小さくなり、センサー３からは検知信号が出力されないため、従来のようにランプ２が再び全光点灯するような自己点滅誤動作が防止される。また、時刻t2にて調光点灯モードから消灯になるが、調光点灯モードから消灯になる際のランプ２の光出力変化比も少なくなり、やはり、自己点滅誤動作が防止される。次に、時刻t3にて本照明器具に人体が近づいてきてセンサー３により人体検知されると、センサー３からの検知信号でマイコン５は点灯信号を出力してランプ２を全光点灯する。次に、時刻t4にて人体検知が無くなるとマイコン５は点灯信号は継続しつつ調光切替信号(Ｌレベル)を発生してランプ２を調光点灯してから、時刻t5にてランプ２を消灯する。
【００１０】
本実施形態によれば、電源投入直後の強制的な全光点灯モード終了後、ランプ２は調光点灯モードになるため、ランプ２からの光出力変化比が緩和されるため、焦電型赤外線センサー３に入射する光変化比も小さくなり、前記センサー３からは検知信号が出力されないため、従来のようにランプ２が再び全光点灯するような自己点滅誤動作が防止される。また、調光点灯モードから消灯になる際のランプ２の光出力変化比も少なくなり、やはり、自己点滅誤動作が防止される。
【図面の簡単な説明】
【００１１】
【図１】本発明の実施形態を示す断面図
【図２】同回路ブロック図
【図３】同動作のタイミング図
【符号の説明】
【００１２】
１  本体
２  ランプ
３  焦電型赤外線センサー
４  グローブ
【図１】
2005190916.tif 000003
【図２】
2005190916.tif 000004
【図３】
2005190916.tif 000005